(57)【要約】【課題】  屈折率整合フィルムを用いた光ファイバコネクタにおいて、良好な光学特性を保持すると共に製品の品質にバラツキがないようにすること。【解決手段】  屈折率整合フィルム４０を備えたＶ溝ハウジング３０、アダプタ部５１，５２、及び保護カバー部５３，５４を備えたハウジング部と、一対の光ファイバ１０，２０を保持しアダプタ部５１，５２に着脱可能に嵌め込まれるファイバホルダ６１，６２で構成された光ファイバコネクタである。Ｖ溝ハウジング部３０は、Ｖ溝ハウジング本体部３１と、シート状弾性パッド３３を備えたハウジング押さえ３２とで構成されている。光ファイバ１０，２０は、それぞれのファイバ素線の先端を、ファイバホルダ６１，６２の押圧力付与バネ６１３，６２３によって２０ｇｆ・ｃｍ以上で且つ前記屈折率整合フィルム４０の最大耐久押圧力未満の押圧力を付与されて、屈折率整合フィルム４０の左右の面に当接させられている。【選択図】  図1
2007298784.tif 000002
【特許請求の範囲】
【請求項１】
屈折率整合フィルムが収納されたＶ溝ハウジング部と一対のアダプタ部を備えたコネクタハウジングと、一対の光ファイバを保持し前記アダプタ部に着脱可能に嵌合し前記光ファイバのファイバ素線の先端を前記屈折率整合フィルムの左右の面に当接させる一対のファイバホルダとからなる光ファイバコネクタにおいて、
前記Ｖ溝ハウジング部はシート状弾性パッドを備えていること、及び、
前記ファイバホルダは前記ファイバの素線の先端を前記屈折率整合フィルムに２０ｇｆ・ｃｍ以上で且つ前記屈折率整合フィルムの最大耐久押圧力未満の押圧力で当接させるための押圧力付与バネを備えていることを特徴とする光ファイバコネクタ。
【請求項２】
前記ハウジングは前記アダプタ部をカバーする保護カバー部を備えていることを特徴とする請求項１に記載の光ファイバコネクタ。
【請求項３】
前記ファイバホルダは、光ファイバの被覆部が自在に貫通する貫通穴を有する大径円盤、光ファイバの被覆部が圧入されて保持される圧入穴を有する小径円盤、及び前記大径円盤から前記小径円盤を離間させる方向に押圧する前記押圧力付与バネとで構成されたものであることを特徴とする請求項１に記載の光ファイバコネクタ。
【請求項４】
前記アダプタ部は、前記ファイバホルダの大径円盤と係合する外側係止爪を備えた大径筒状体と前記ファイバホルダの小径円盤と係合する内側係止爪を備えた小径筒状体とからなる二重筒状体であることを特徴とする請求項１に記載の光ファイバコネクタ。
【請求項５】
前記保護カバー部は、端部に光ファイバの被覆部を解除可能に挟持する保持板を備えた略筒状カバー部であることを特徴とする請求項２に記載の光ファイバコネクタ。
【請求項６】
前記保持板は、蝶番で結合された２枚の保持板部材で構成されたものであることを特徴とする請求項５に記載の光ファイバコネクタ。
【請求項７】
前記コネクタハウジングは、プラスチックを成型して製作されたものであることを特徴とする請求項１に記載の光ファイバコネクタ。
【請求項８】
前記ファイバホルダは、プラスチックを成型して製作されたものであることを特徴とする請求項１又は３に記載の光ファイバコネクタ。
【請求項９】
前記屈折率整合フィルムはエポキシ樹脂であることを特徴とする請求項１に記載の光ファイバコネクタ。
【発明の詳細な説明】
【技術分野】
【０００１】
本発明は、一対のアダプタ部を備えたハウジングと、一対の光ファイバを保持し前記アダプタ部に着脱可能に嵌合させられる一対のファイバホルダとからなる光ファイバコネクタであって、前記ハウジング内に配置されている屈折率整合フィルムの左右の面に前記一対の光ファイバの無研磨のファイバ素線の先端をそれぞれ当接させて接続する光ファイバコネクタに関する。
【背景技術】
【０００２】
シリコングリースやシリコンオイルなどのマッチングオイルを塗布して使用する屈折率整合剤を介在させて光ファイバ同士を接続する光ファイバ接続装置は、塗布前にコネクタ端面を正常に保つ必要があること、コネクタの着脱を繰り返えすと屈折率整合剤の脱落が生じるという問題がある。そこで上述の問題を解消するために、屈折率整合フィルムを介在させて光ファイバ同士を接続する光ファイバコネクタがいくつも提案されている。
【０００３】
第１の従来の光ファイバコネクタは、特許第２６７６７０５号公報（特許文献１）に開示されている通り、光ファイバの端部が露出する光ファイバコネクタの接続端面に、該光ファイバのコアの屈折率に近接した屈折率を有し、厚さが１０μｍ以下の透明な屈折率整合フィルムをその光ファイバ端面に接着剤層、粘着剤層を介さずに直接密接するように取付けてなる光ファイバコネクタである。
【０００４】
第２の従来の光ファイバコネクタは、特開２００２−３１７４５号公報（特許文献２）に開示されている通り、光ファイバ心線をフェルールに固定し、前記光ファイバ心線の端面をフェルール端面から露出させた光コネクタプラグにおいて、光透過性で且つ光ファイバコアの屈折率に近い屈折率を有する樹脂層、即ち屈折率整合樹脂層を前記フェルール端面に設けたことを特徴とする光コネクタプラグである。
【０００５】
上述の第１と第２の従来の光ファイバコネクタはいずれも、光コネクタ同士、及びフェルール同士をそれぞれ嵌合させることで２本の光ファイバを接続させるものであるが、光コネクタ及びフェルールは光ファイバの軸を合わせるために高精度の加工が必要であり、しかも一対の部品を結合するものであるから製造コストが高いという問題がある。また、第１の従来の光ファイバコネクタにおいては屈折率整合フィルムへの光ファイバのファイバ素線の押圧力、第２の従来の光ファイバコネクタにおいては屈折率整合樹脂層への光ファイバのファイバ素線の押圧力が一様でなく、光学特性にバラツキが生じるという問題、即ち、接続された２本の光ファイバの間の反射減衰量にバラツキが生じるという問題がある。
【特許文献１】特許第２６７６７０５号公報
【特許文献２】特開２００２−３１７４５号公報
【発明の開示】
【発明が解決しようとする課題】
【０００６】
本発明が解決しようとする第１の課題は、屈折率整合フィルムを用いた光ファイバコネクタにおいて、良好な光学特性が保持されると共に製品の品質にバラツキがないようにすることである。
本発明が解決しようとする第２の課題は、屈折率整合フィルムを用いた光ファイバコネクタにおいて、高性能、高品質、低価格の光ファイバコネクタを提供することである。
本発明が解決しようとする第３の課題は、屈折率整合フィルムを用いた光ファイバコネクタにおいて、繰り返し使用が可能な光ファイバコネクタを提供することである。
【課題を解決するための手段】
【０００７】
上述の課題を解決するために、屈折率整合フィルムの両面に当接させられる一対の光ファイバのファイバ素線の押圧力に着目して研究を行った。その結果、本発明者達は、接続させられる一対の光ファイバのファイバ素線を屈折率整合フィルムの左右の面に一定の押圧力を加えれば良好な光学特性が得られること、及び、前記一定の押圧力は２０ｇｆ・ｃｍ以上で且つ前記屈折率整合フィルムの最大耐久押圧力未満の値に選定すればよいことを発見した。
【０００８】
即ち、上述の第１乃至第３の課題を解決する光ファイバコネクタを、屈折率整合フィルムが収納されたＶ溝ハウジング部と一対のアダプタ部を備えたコネクタハウジングと、一対の光ファイバを保持し前記アダプタ部に着脱可能に嵌合し前記光ファイバのファイバ素線の先端を前記屈折率整合フィルムの左右の面に当接させる一対のファイバホルダとからなる光ファイバコネクタにおいて、
前記Ｖ溝ハウジング部にシート状弾性パッドを備え、且つ、
前記ファイバホルダに押圧力付与バネを備え、この押圧力付与バネによって前記光ファイバの素線の先端を前記屈折率整合フィルムに２０ｇｆ・ｃｍ以上で且つ前記屈折率整合フィルムの最大耐久押圧力未満の範囲で選択された押圧力で当接させるようにした。
【発明の効果】
【０００９】
本発明により、屈折率整合フィルムを用いた光ファイバコネクタであって、良好な光学特性を保持すると共に製品の品質にバラツキがない高性能、高品質、低価格の光ファイバコネクタが提供された。
また、本発明により、屈折率整合フィルムを用いた光ファイバコネクタであって、繰り返し使用が可能な光ファイバコネクタが提供された。
【発明を実施するための最良の形態】
【００１０】
本発明に係る光ファイバコネクタは、屈折率整合フィルムが収納されたＶ溝ハウジング部と一対のアダプタ部を備えたコネクタハウジングと、一対の光ファイバを保持し前記アダプタ部に着脱可能に嵌合し前記光ファイバのファイバ素線の先端を前記屈折率整合フィルムの左右の面に所定押圧力で当接させる一対のファイバホルダとからなる光ファイバコネクタである。そして、前記ファイバホルダには、前記光ファイバの素線の先端を前記屈折率整合フィルムに所定押圧力で当接させるための押圧力付与バネが備えられている。前記押圧力は、２０ｇｆ・ｃｍ以上で且つ前記屈折率整合フィルムの最大耐久押圧力未満の押圧力、例えば３０ｇｆ・ｃｍである。また、前記Ｖ溝ハウジング部には、光ファイバをＶ溝内に柔らかく収納するためのシート状弾性パッドが備えられている。
【実施例１】
【００１１】
本発明の実施例１の光ファイバコネクタは、図１の断面図、図２の断面図、及び図３の分解図に示す如く、屈折率整合フィルム４０を備えたＶ溝ハウジング本体部３１、アダプタ部５１，５２、及び保護カバー部５３，５４を備えたＶ溝ハウジング部３０と、一対の光ファイバ１０，２０を保持しアダプタ部５１，５２に着脱可能に嵌め込まれるファイバホルダ６１，６２で構成された光ファイバコネクタである。屈折率整合フィルム４０は、光ファイバ１０，２０とほぼ同一の屈折率を有する厚さ３０μｍで、１．５ｍｍ×１．５ｍｍの矩形の透明なエポキシ樹脂シートである。
【００１２】
光ファイバ１０，２０は、それぞれのファイバ素線の先端を、ファイバホルダ６１，６２の押圧力付与バネ６１３，６２３によって２０ｇｆ・ｃｍ以上で且つ前記屈折率整合フィルム４０の最大耐久押圧力未満の押圧力を付与されて、屈折率整合フィルム４０の左右の面に当接させられている。光ファイバ１０，２０は、その被覆部１２，２２を保護カバー部５３，５４の端部５３ａ，５４ａにしっかりと保持されているので、外部衝撃から保護されている。以下、実施例１の構成を詳細に説明する。
【００１３】
図２と図３に示す如く、Ｖ溝ハウジング部３０のＶ溝ハウジング本体部３１には、左側光ファイバ１０のファイバ素線１１を収容する素線用Ｖ溝３１ｂと被覆部１２を収容する被覆部用Ｖ溝３１ｄ、右側光ファイバ２０のファイバ素線２１を収容する素線用Ｖ溝３１ｃと被覆部２２を収容する被覆部用Ｖ溝３１ｅ、及び、屈折率整合フィルム４０を収納する収納スリット３１ａが、Ｖ溝形成面である上面に形成されている。屈折率整合フィルム４０を収納する収納スリット３１ａは、素線用Ｖ溝３１ｂと素線用Ｖ溝３１ｃの中心側端部に挟まれた位置、従ってＶ溝ハウジング本体３１の軸線上の中間に形成されている。
【００１４】
Ｖ溝ハウジング押さえ３２は上面も下面も平面の部品である。シート状弾性パッド３３は、その上面をＶ溝ハウジング押さえ３２の下面に接着されている。シート状弾性パッド３３には、左側光ファイバ１０のファイバ素線１１を収容する素線用Ｖ溝３３ｂと被覆部１２を収容する被覆部用Ｖ溝３３ｄ、右側光ファイバ２０のファイバ素線２１を収容する素線用Ｖ溝３３ｃと被覆部２２を収容する被覆部用Ｖ溝３３ｅ、及び、屈折率整合フィルム４０を収納する収納スリット３３ａが、Ｖ溝形成面である下面に形成されている。
【００１５】
屈折率整合フィルム４０を収納する収納スリット３３ａは、素線用Ｖ溝３３ｂと素線用Ｖ溝３３ｃの中心側端部に挟まれた位置、従ってＶ溝ハウジング押さえ３２のシート状弾性パッド３３の軸線上の中間に形成されている。シート状弾性パッド３３は、ウレタンフォーム、テフロン（登録商標）などのフッ素樹脂、ポリアセタールなどの弾性部材で製作されている。シート状弾性パッド３３は、光ファイバをＶ溝内に柔らかく収納するための部材である。
【００１６】
Ｖ溝ハウジング本体３１とＶ溝ハウジング押さえ３２は、プラスチック成型により形成されたプラスチック製ブロック部材であるが、液晶ポリマー、ポリフェニレンスルフィド、アルミニウムでも形成してもよい。
【００１７】
左側アダプタ部５１と左側保護カバー部５３は、Ｖ溝ハウジング部３０の軸方向の左側にそれぞれ一体に形成されている。同様に、右側アダプタ部５２と右側保護カバー部５４は、Ｖ溝ハウジング部３０の軸方向の右側にそれぞれ一体に形成されている。左側ファイバホルダ６１が嵌め込まれる左側アダプタ部５１は、カンチレバー状の内側係止爪５１ａとカンチレバー状の外側係止爪５１ｂを備えている。同様に、右側ファイバホルダ６２が嵌め込まれる左側アダプタ部５２は、カンチレバー状の内側係止爪５２ａとカンチレバー状の外側係止爪５２ｂを備えている。
【００１８】
左側光ファイバ１０を保持する左側ファイバホルダ６１は、小径円盤６１１と大径円盤６１２と押圧力付与バネ６１３で構成されている。小径円盤６１１には保持円筒部６１１ａが一体に形成されている。保持円筒部６１１ａには、光ファイバ１０の被覆部１２の直径に略等しい保持孔が穿たれている。一方、大径円盤６１２には、光ファイバ１０の被覆部１２が自在に貫通できる大きさの貫通孔が穿たれている。小径円盤６１１と大径円盤６１２は、コイル状の押圧力付与バネ６１３で結合されている。
【００１９】
同様に、右側光ファイバ２０を保持する右側ファイバホルダ６２は、小径円盤６２１と大径円盤６２２と押圧力付与バネ６２３で構成されている。小径円盤６２１には保持円筒部６２１ａが一体に形成されている。保持円筒部６２１ａには、光ファイバ２０の被覆部２２の直径に略等しい保持孔が穿たれている。一方、大径円盤６２２には、光ファイバ２０の被覆部２２が自在に貫通できる大きさの貫通孔が穿たれている。小径円盤６２１と大径円盤６２２は、コイル状の押圧力付与バネ６２３で結合されている。右側ファイバホルダ６２が右側アダプタ部５２に嵌め込まれると、小径円盤６２１と大径円盤６２２はカンチレバー状の内側係止爪５２ａとカンチレバー状の外側係止爪５２ｂにそれぞれ係合する。このため、右側ファイバホルダ６２は右側アダプタ部５２にしっかりと保持される。
【００２０】
Ｖ溝ハウジング部３０の軸方向の左側に一体に形成されている左側保護カバー部５３は保護カバー本体５３ｂと、その端部に固着された開閉可能な分割型光ファイバ保持板５３ａと、及び図示しない保護カバー蓋で構成されている。同様に、Ｖ溝ハウジング部３０の軸方向の右側に一体に形成されている右側保護カバー部５４は保護カバー本体５４ｂと、その端部に固着された開閉可能な分割型光ファイバ保持板５４ａと、及び図示しない保護カバー蓋で構成されている。
【００２１】
左側分割型光ファイバ保持板５３ａは、図４の側面図に示す如く、保持凹部５３１ａと蝶番部を備える下側保持板５３１と、保持凹部５３２ａと蝶番部５３２ｂを備える上側保持板５３２とで構成されている。右側分割型光ファイバ保持板５４ａは、左側分割型光ファイバ保持板５３ａと同じ構造である。
【００２２】
光ファイバコネクタの組み立ては、Ｖ溝ハウジング本体部３１に屈折率整合フィルム４０を取り付け、シート状弾性パッド３３が接着されたＶ溝ハウジング押さえ３２で蓋をするだけである。屈折率整合フィルム４０の取り付けは、Ｖ溝ハウジング本体部３１のスリット収納スリット３１ａに屈折率整合フィルム４０を差し込むだけである。また、Ｖ溝ハウジング押さえ３２はＶ溝ハウジング本体部３１に接着固定される。Ｖ溝ハウジング押さえ３２はＶ溝ハウジング本体部３１に着脱可能に取り付けるようにしてもよい。このように、光ファイバコネクタの組み立ては簡単であるから、製造コストの低減を図ることができる。
【００２３】
左側ファイバホルダ６１への光ファイバ１０の取り付けは、光ファイバ１０の被覆部１２を左側ファイバホルダ６１に差し込み、保持位置を調節して小径円盤６１１に強固に保持させることによって行われる。保持位置の調節は、左側ファイバホルダ６１が左側アダプタ部５１に嵌め込まれたときに、光ファイバ１０のファイバ素線１１の先端が、屈折率整合フィルム４０の左側面に当接する位置を考慮して行われる。
【００２４】
左側ファイバホルダ６１が左側アダプタ部５１に嵌め込まれると、先ず、左側ファイバホルダ６１の小径円盤６１１と左側アダプタ部５１のカンチレバー状の内側係止爪５１ａに係合する。そして、左側ファイバホルダ６１の小径円盤６１１に強固に保持された光ファイバ１０は、Ｖ溝ハウジング３０の素線用Ｖ溝と被覆部用Ｖ溝に収容され、そのファイバ素線１１の先端は屈折率整合フィルム４０の左側面に当接する。
【００２５】
前記素線用Ｖ溝と前記前記被覆部用Ｖ溝は、Ｖ溝ハウジング本体部３１の素線用Ｖ溝３１ｂと被覆部用Ｖ溝３１ｄと、Ｖ溝ハウジング押さえ３２のシート状弾性パッド３３の素線用Ｖ溝３１ｂと被覆部用Ｖ溝３３ｄによって形成されている。このため、前記素線用Ｖ溝と前記被覆部用Ｖ溝による光ファイバ１０の保持は強固なものではなく、後述する押圧力付与バネ６１３が光ファイバ１０に付与する押圧力を低下させるような保持力を光ファイバ１０に与えることはない。Ｖ溝ハウジング押さえ３２のシート状弾性パッド３３を備えた効果である。
【００２６】
次に、左側ファイバホルダ６１の大径円盤６１２を左側アダプタ部５１のカンチレバー状の外側係止爪５１ｂの右側に押し込むと、大径円盤６１２はカンチレバー状の外側係止爪５１ｂに係合する。すると、大径円盤６１２によって左側への移動が規制された押圧力付与バネ６１３は、小径円盤６１１を介して光ファイバ１０に右方に押し出す押圧力を付与する。これによって、左側光ファイバ１０のファイバ素線１１の先端は屈折率整合フィルム４０の左側面に所定の押圧力を与えられて当接する。前記所定の押圧力は、２０ｇｆ・ｃｍ以上で且つ前記屈折率整合フィルムの最大耐久押圧力未満の値、例えば３０ｇｆ・ｃｍである。
【００２７】
次に、右側ファイバホルダ６２への光ファイバ２０の取り付け、及び右側ファイバホルダ６２の右側アダプタ部５２への嵌め込みについて説明する。
【００２８】
即ち、右側ファイバホルダ６２への光ファイバ２０の取り付け、光ファイバ２０の被覆部２２を左側ファイバホルダ６２に差し込み、保持位置を調節して小径円盤６２１に保持させることによって行われる。保持位置の調節は、右側ファイバホルダ６２が右側アダプタ部５２に嵌め込まれたときに、光ファイバ２０のファイバ素線２１の先端が、屈折率整合フィルム４０の右側面に当接する位置を考慮して行われる。
【００２９】
右側ファイバホルダ６２が右側アダプタ部５２に嵌め込まれると、先ず、右側ファイバホルダ６２の小径円盤６２１と右側アダプタ部５２のカンチレバー状の内側係止爪５２ａに係合する。そして、右側ファイバホルダ６２の小径円盤６２１に強固に保持された光ファイバ２０は、Ｖ溝ハウジング３０の素線用Ｖ溝と被覆部用Ｖ溝に収容され、そのファイバ素線２１の先端は屈折率整合フィルム４０の右側面に当接する。
【００３０】
前記素線用Ｖ溝と前記前記被覆部用Ｖ溝は、Ｖ溝ハウジング本体部３１の素線用Ｖ溝３１ｃと被覆部用Ｖ溝３１ｅと、Ｖ溝ハウジング押さえ３２のシート状弾性パッド３３の素線用Ｖ溝３３ｃと被覆部用Ｖ溝３３ｅによって形成されている。このため、前記素線用Ｖ溝と前記被覆部用Ｖ溝による光ファイバ２０の保持は強固なものではなく、後述する押圧力付与バネ６２３が光ファイバ２０に付与する押圧力を低下させるような保持力を光ファイバ２１に与えることはない。Ｖ溝ハウジング押さえ３２のシート状弾性パッド３３を備えた効果である。
【００３１】
続いて、右側ファイバホルダ６２の大径円盤６２２を右側アダプタ部５２のカンチレバー状の外側係止爪５２ｂの左側に押し込むと、大径円盤６２２はカンチレバー状の外側係止爪５２ｂに係合する。すると、大径円盤６２２によって右側への移動が規制された押圧力付与バネ６２３は、小径円盤６２１を介して光ファイバ２０に左方に押し出す押圧力を付与する。これによって、右側光ファイバ２０のファイバ素線２１の先端は屈折率整合フィルム４０の右側面に所定の押圧力を与えられて当接する。前記所定の押圧力は、具体的には２０ｇｆ・ｃｍ以上で且つ前記屈折率整合フィルムの最大耐久押圧力未満の値である。
【００３２】
図５は、光ファイバの屈折率整合フィルムへの押圧力と反射減衰量の関係を示した伝送特性図である。図８から明らかな如く、光ファイバの屈折率整合フィルムへの押圧力が１０ｇｆ・ｃｍから２０ｇｆ・ｃｍの間は、反射減衰率がサンプル毎に異なるが、２０ｇｆ・ｃｍから５０ｇｆ・ｃｍの間では全てのサンプルの反射減衰率が５０ｄＢ前後で推移している。一方、実施例１で用いたソフトコンタクトフィルムである屈折率整合フィルム４０の最大耐久押圧力は最大で３３ｇｆ・ｃｍであった。従って、実施例１においては、光ファイバの屈折率整合フィルム４０への所定押圧力の範囲は、下限を２０ｇｆ・ｃｍとし且つ上限を３３ｇｆ・ｃｍとした。そして、実施例１において、前記所定押圧力は３０ｇｆ・ｃｍとした。なお、図５は、６つのサンプルの実験値であるが、他の実験でも同じ結果が得られた。
【００３３】
左側ファイバホルダ６１が左側アダプタ部５１に嵌め込まれた後は、左側光ファイバ１０はその被覆部１２を保護カバー部５３の端部５３ａに保持される。即ち、左側光ファイバ１０は、その被覆部１２を左側ファイバホルダ６１と保護カバー部５３の端部５３ａとの間をたわませて下側保持板５３１の保持凹部５３１ａに載置し、上側保持板５３２を閉じる。すると、左側光ファイバ１０の被覆部１２は、図４（Ａ）に示す如く、下側保持板５３１の保持凹部５３１ａと上側保持板５３２の保持凹部５３２ａの間に挟持されてしっかりと保持される。そして、保護カバー本体５３ｂに図示しない保護カバー蓋を取り付け、左側保護カバー５３を断面矩形の筒状カバーとして機能させる。この左側保護カバー５３によって、左側光ファイバ１０は外部衝撃から保護され、左側光ファイバ１０のファイバ素線１１の先端は屈折率整合フィルム４０の左側の面に所定押圧力で当接し続けることができる。
【００３４】
同様に、右側ファイバホルダ６２が右側アダプタ部５２に嵌め込まれた後は、右側光ファイバ２０はその被覆部２２を保護カバー部５４の端部５４ａに保持される。即ち、右側光ファイバ２０は、その被覆部２２を右側ファイバホルダ６２と保護カバー部５４の端部５４ａとの間をたわませて下側保持板の保持凹部に載置し、上側保持板を閉じる。すると、右側光ファイバ２０の被覆部２２は、その下側保持板の保持凹部と上側保持板の保持凹部の間に挟持されてしっかりと保持される。そして、保護カバー本体５４ｂに図示しない保護カバー蓋を取り付け、左側保護カバー５４を断面矩形の筒状カバーとして機能させる。この右側保護カバー５４によって、右側光ファイバ２０は外部衝撃から保護され、右側光ファイバ２０のファイバ素線２１の先端は屈折率整合フィルム４０の右側の面に所定押圧力で当接し続けることができる。
【図面の簡単な説明】
【００３５】
【図１】本発明の実施例１の模式的な光ファイバコネクタを軸方向に水平に切断した断面図である。
【図２】本発明の実施例１の模式的な光ファイバコネクタのＶ溝ハウジング部を軸方向に垂直に切断した断面図である。
【図３】本発明の実施例１の光ファイバコネクタの主要部の分解図である。
【図４】本発明の実施例１の光ファイバコネクタの保護カバー部の端部の側面図で、（Ａ）は光ファイバを保持した状態で示したもの、（Ｂ）は光ファイバを開放した状態で示したものである。
【図５】光ファイバの屈折率整合フィルムへの押圧力と反射減衰量の関係を示した伝送特性図である。
【符号の説明】
【００３６】
１０，２０  光ファイバ
１１，２１  ファイバ素線
１２，２２  被覆部
３０  Ｖ溝ハウジング部
３１  Ｖ溝ハウジング本体部
３１ａ  フィルム用スリット
３１ｂ，３１ｃ  素線用Ｖ溝
３１ｄ，３１ｅ  被覆部用Ｖ溝
３２  Ｖ溝ハウジング押さえ
３３  シート状弾性パッド
３３ａ  フィルム用スリット
３３ｂ，３３ｃ  素線用Ｖ溝
３３ｄ，３３ｅ  被覆部用Ｖ溝
４０  屈折率整合フィルム
５１  左側アダプタ部
５１ａ  内側係止爪
５１ｂ  外側係止爪
５１ｃ  ストッパ
５２  右側アダプタ部
５２ａ  内側係止爪
５２ｂ  外側係止爪
５２ｃ  ストッパ
５３  左側保護カバー
５３ａ  端部
５３ｂ  保護カバー本体
５３１  下側保持板
５３１ａ  保持凹部
５３１ｃ  係止部
５３２  上側保持板
５３２ａ  保持凹部
５３２ｂ  蝶番部
５３２ｃ  係止部
５４  右側保護カバー
５４ａ  端部
５４ｂ  保護カバー本体
６１  左側ファイバホルダ
６１１  小径円盤
６１１ａ  保持円筒部
６１２  大径円盤
６１３  押圧力付与バネ
６２  右側ファイバホルダ。
６２１  小径円盤
６２１ａ  保持円筒部
６２２  大径円盤
６２３  押圧力付与バネ
【図１】
2007298784.tif 000003
【図２】
2007298784.tif 000004
【図３】
2007298784.tif 000005
【図４】
2007298784.tif 000006
【図５】
2007298784.tif 000007